(57)【要約】【課題】全コマの撮影が終了したことを明瞭に示すとともに不法な詰め替え品の製造を困難にするレンズ付きフイルムユニットを提供する。【解決手段】対物レンズ５ａと接眼レンズ５ｂの間でファインダ光路から上方に外れた位置に目隠し板６０がファインダ光路への挿入方向に付勢されて軸支されている。ファインダ５の側方に支持レバー６２が回動自在に設けられ、目隠し板６０の下面を一端部６２ａが支持して目隠し板６０をファインダ光路から待避させている。最後の１コマを撮影し終わった後のフイルム巻上げ操作により巻き止め阻止用突起４６ａが他端部６２ｃを押して支持レバー６２を回動させる。目隠し板６０は一端部６２ａの支持を失って回動し、ファインダ光路内に挿入される。暗転したファインダ視野を見たユーザは、それ以上の撮影ができないことを瞬時に理解できる。目隠し板６０を取り除く作業が増え、詰め替え品が製造しにくくなる。【選択図】　　　　図３
2004117953.tif 000002
【特許請求の範囲】
【請求項１】
被写体を観察するファインダを有するとともに、最終コマの撮影が完了した後にフイルム巻き止めを解除したままにして以後のフイルム巻き上げ操作を継続して許容する巻き止め阻止手段を備えたレンズ付きフイルムユニットにおいて、
前記ファインダの光路内に挿入して被写体の観察を阻害する挿入位置とファインダの光路内から待避して被写体の観察を許容する待避位置との間で変位自在に設けられた観察阻害部材と、前記巻き止め解除手段に連動して最終コマの撮影が完了した後に観察阻害部材を待避位置から挿入位置に変位させる変位手段とを設けたことを特徴とするレンズ付きフイルムユニット。
【請求項２】
前記観察阻害部材は、その少なくとも一部の表面に粘性物質を塗布してあり、前記挿入位置でファインダの接眼レンズに接触することにより、前記粘性物質が接眼レンズに付着して接眼レンズを汚すことを特徴とする請求項１記載のレンズ付きフイルムユニット。
【発明の詳細な説明】
【０００１】
【発明の属する技術分野】
本発明はレンズ付きフイルムユニットに関し、更に詳しくは全コマの撮影が終了したことを明瞭に示すとともに不法な詰め替え品を製造しにくくするレンズ付きフイルムユニットに関する。
【０００２】
【従来の技術】
未露光の写真フイルムが製造時に装填されており、購入してすぐに撮影を楽しむことができるレンズ付きフイルムユニットが本出願人から製造・販売されている。このレンズ付きフイルムユニットは、フイルムカウンタ機構、シャッタ機構、ファインダ光学系、フイルム巻止め機構、及び撮影レンズ等を一体的に組み込んだ露光ユニットを内蔵している。
【０００３】
フイルムカウンタ機構には、１コマ撮影する毎に歩進されるカウンタ表示板が設けられ、上方のカウンタ表示窓を通して撮影可能な残りのコマ数が確認できる。そして、最後のコマを撮影し終わった後、巻上げダイヤルを操作すると、カウンタ表示窓にはフイルム残数がないことを示す「０」が表示されるとともに、フイルム巻止め機構のフイルム巻き止めが解除され、以後のフイルム巻き上げ操作が継続して許容され、全ての写真フイルムがパトローネ本体内に収納可能になる。
【０００４】
一方、使用済みのレンズ付きフイルムユニットに未露光の写真フイルムを詰め替えて不正に販売している業者がある。このような詰め替え品は、フイルム通路の傷の有無をチェックしたり、前記撮影機構等の動作をチェックするなどの検査を全く行っていないため、せっかく撮影したネガに傷が入っていたり、撮影途中で動作しなくなったり、というようなトラブルを起こし、レンズ付きフイルムユニット全般のイメージダウンにつながりかねないおそれがある。このため、本出願人は、例えばフイルム装填後に超音波溶着により後カバーを本体基部に固着するようにしている（例えば特許文献１参照）。これにより、本体基部から後カバーを取り外そうとすれば、溶着した部分が破壊されるようにしている。
【０００５】
【特許文献１】
特開平１１−０２４２０８号公報（第２−３頁，図１，図４）
【０００６】
【発明が解決しようとする課題】
上記のようなカウンタ表示窓はサイズが小さくて見づらいため、カウンタ表示窓に注意を払わずに撮影しているユーザが多い。このため、いざ撮影を行おうとしてレンズ付きフイルムユニットを被写体に向け、シャッタボタンを押し下げてから、既にフイルム残数がなくなっていることに気がつくという場合が多いのが実情である。
【０００７】
一方、上記特許文献１記載のようなフイルム詰め替え防止策を講じているにもかかわらず、いまだに大量の詰め替え品が市場に出回っている。これは、後カバーや本体基部が破損しても、接着剤を使用して貼り付ける等の比較的手軽な方法で修復が可能なためであると思われる。
【０００８】
本発明は、上記問題点を解決するためになされたもので、全コマの撮影が終了したことを明瞭に示すことができるとともに、不法な詰め替え品を製造しにくくすることができるレンズ付きフイルムユニットを提供することにある。
【０００９】
【課題を解決するための手段】
上記目的を達成するために、本発明のレンズ付きフイルムユニットは、被写体を観察するファインダを有するとともに、最終コマの撮影が完了した後にフイルム巻き止めを解除したままにして以後のフイルム巻き上げ操作を継続して許容する巻き止め阻止手段を備えたレンズ付きフイルムユニットにおいて、前記ファインダの光路内に挿入して被写体の観察を阻害する挿入位置とファインダの光路内から待避して被写体の観察を許容する待避位置との間で変位自在に設けられた観察阻害部材と、前記巻き止め解除手段に連動して最終コマの撮影が完了した後に観察阻害部材を待避位置から挿入位置に変位させる変位手段とを設けたものである。また、前記観察阻害部材は、その少なくとも一部の表面に粘性物質を塗布してあり、前記挿入位置でファインダの接眼レンズに接触することにより、前記粘性物質が接眼レンズに付着して接眼レンズを汚すものである。
【００１０】
【発明の実施の形態】
本発明の実施形態であるレンズ付きフイルムユニットの外観を示す図１において、レンズ付きフイルムユニット１は、ユニット本体２の中央部に海苔巻き状に化粧用のラベル３を貼り付けてある。ユニット本体２の前部には、撮影レンズ４，ファインダ５の対物レンズ５ａ，ストロボ発光部６及びストロボ充電用ノブ７が配置してある。
【００１１】
ユニット本体２の上部には、シャッタボタン９，撮影可能な残りコマ数を表示するカウンタ表示窓１０，ストロボ充電の完了を表示する表示用ライトガイド１１が突出される開口１２が設けられている。さらに、ユニット本体２の背面側には、１コマの撮影ごとに回転操作される巻上げダイヤル１３の一部が露呈されている。
【００１２】
ユニット本体２は、図２に示すように、本体基部２０，前カバー２１，後カバー２２，ストロボ装置２３及び写真フイルムパトローネ２４から構成され、本体基部２０の中央部には、露光ユニット２５が組み付けられている。写真フイルムパトローネ２４としては、１３５タイプのものを用いているが、その他のタイプ、例えばアドバンストフォトシステムのＩＸ２４０等であってもよい。
【００１３】
露光ユニット２５を挟んで本体基部２０の両側方には、写真フイルムパトローネ２４のパトローネ本体２６を収納するパトローネ室２７と、パトローネ本体２６から引き出した写真フイルム２８をロール状に収納するフイルムロール室２９とが設けられている。
【００１４】
巻上げダイヤル１３は、パトローネ室２７の上部に回転自在に配されており、その下部に一体に設けられた軸がパトローネ本体２６のスプール２６ａの一端に係合する。これにより、巻上げダイヤル１３を矢線方向に回転操作すると、撮影済の写真フイルム２８がパトローネ本体２６内に巻き上げられるとともに、未露光の部分が露光ユニット２５の後方に設けられたアパーチャ（図示せず）の背後にセットされる。
【００１５】
前カバー２１には、対物レンズ５ａ，撮影レンズ４，ストロボ発光部７及びストロボ充電用ノブ７を露呈するための開口が形成されている。この前カバー２１は、ストロボ装置２３が組み付けられた本体基部２０の前面側に組み付けられる。
【００１６】
後カバー２２は、パトローネ本体２６と写真フイルム２８を収納した本体基部２０の背面側を覆う。また、後カバー２２には、その底部に底蓋２２ａ，２２ｂが形成されており、これらの底蓋２２ａ，２２ｂによってパトローネ室２７とフイルムロール室２９の底部が光密に閉じられる。なお、本体基部２０と後カバー２２とは、超音波溶着により部分的に固着される。
【００１７】
ストロボ装置２３は、ストロボ回路基板３０にストロボ発光部６をはじめストロボ用の各種部品，電源の電池３１等を組み付けてユニット化したものである。
ストロボ装置２３と前カバー２１との間には、ストロボ充電用ノブ７が一体に形成されたスイッチ板３２と、このスイッチ板３２をスライド自在に支持する受け板３３とが組み込まれる。
【００１８】
前記露光ユニット２５は、撮影レンズ４を保持するシャッタカバー３４を外すと、図３に示すように、ベース部３５とシャッタ羽根３６が露呈する。ベース部３５の前面には、シャッタ開口３５ａが形成されている。シャッタ羽根３６は、シャッタ開口３５ａを開閉する開閉部３６ａを備え、ベース部３５の前面に設けた軸３５ｂを中心に回転自在となっているとともに、コイルバネ３７により開閉部３６ａがシャッタ開口３５ａを閉じる方向に付勢されている。
【００１９】
ベース部３５の上部には、２つの軸４１，４２と軸受開口４３が一体に形成されている。軸４１には、シャッタ駆動レバー４５とカウンタ表示板４６とが順に挿入される。また、軸４２には、チャージバネ４７と係止レバー４８とが順に挿入される。また、軸受開口４３には、カム部材４９が挿入されている。これらの部品は、天板５０によってファインダ５の対物レンズ５ａ，接眼レンズ５ｂとともにベース部３５に保持される。なお、天板５０は爪係合によりベース部３５に着脱自在に係止される。
【００２０】
カム部材４９には、上方から順に表示板歩進用の一歯ギヤ４９ａ、巻き止めカム４９ｂ、及び径方向に変位をもったチャージカム４９ｃ，下方に突出した軸４９ｄが一体に形成されている。軸４９ｄには、従動スプロケット５２が連結されている。この従動スプロケット５２は、写真フイルム２８のパーフォレーションに係合しており、巻上げダイヤル１３の巻き上げ操作によって移送される写真フイルム２８に従動して回転する。
【００２１】
カム部材４９は、従動スプロケット５２と一緒に回転する。巻き止めカム４９ｂには、係止レバー４８の爪部４８ａが摺動している。係止レバー４８は、巻き止め位置と巻き止め解除位置との間で回転自在となっており、チャージバネ４７の一端４７ａが係合し、巻き止め位置に向けて付勢されている。
【００２２】
巻上げダイヤル１３のフイルム巻上げ操作によって１コマ分の長さだけ写真フイルム２８が移送されると、巻き止めカム４９ｂが所定量だけ回転し、巻き止めカム４９ｂの周面に設けた溝４９ｅが爪部４８ａに対面する。このとき、爪部４８ａが溝４９ｅに入り込み、係止レバー４８が巻き止め位置に回転される。巻き止め位置になると、従動スプロケット５２の回転が阻止され、且つ係止レバー４８に設けた係止爪４８ｂが巻上げダイヤル１３の外周に形成した歯列１３ａに噛合して巻上げダイヤル１３の回転が阻止される。
【００２３】
チャージカム４９ｃには、シャッタ駆動レバー４５に形成した突起４５ａが摺動している。シャッタ駆動レバー４５は、チャージ位置と走行完了位置との間で回転自在であり、また、チャージバネ４７の他端４７ｂが係合するバネ受け部４５ｂを備え、チャージバネ４７により走行完了位置に向けて付勢されている。
【００２４】
シャッタ駆動レバー４５は、カム部材４９の１コマ分の移送に対応した回転により、チャージバネ４７の付勢力に抗してチャージカム４９ｃに突起４５ａが押され、走行完了位置からチャージ位置に向けて回転する。そして、シャッタ駆動レバー４５は、係止レバー４８に形成された立ち下がり突起４８ｃに、シャッタ駆動レバー４５に形成された立ち上がり突起４５ｃが係合することにより、巻き止め位置にある係止レバー４８によってチャージ位置に保持される。
【００２５】
シャッタボタン９の下面には、露光ユニット２５に向けて突出した押圧ロッド９ａが形成されている。押圧ロッド９ａは、レリーズ操作に応答して巻き止め位置にある係止レバー４８の被押圧部４８ｄをチャージバネ４７の付勢に抗して巻き止め解除位置に向けて押圧する。この押圧により、係止レバー４８は、チャージ位置にあるシャッタ駆動レバー４５の保持を解除する。これにより、シャッタ駆動レバー４５は、チャージバネ４７の付勢によって走行完了位置に向けて瞬時に回転する。
【００２６】
シャッタ駆動レバー４５には、蹴飛ばしアーム４５ｄが形成されている。蹴飛ばしアーム４５ｄは、シャッタ駆動レバー４５の回転途中でシャッタ羽根３６に形成した一端３６ｂを蹴飛ばす。シャッタ羽根３６は、蹴飛ばされることで軸３５ｂを中心に回転し、開閉部３６ａが撮影光軸Ｌを横切ってシャッタ開口３５ａを開放する。そして、シャッタ駆動レバー４５が走行完了位置に回転すると、蹴飛ばしアーム４５ｄが一端３６ｂを乗り越える。これにより、シャッタ羽根３６は、引き戻しバネ４５の付勢によりシャッタ開口３５ａを閉じる位置に戻される。
【００２７】
露光完了後には、走行完了位置にあるシャッタ駆動レバー４５によって係止レバー４８が巻き止め解除位置で保持される。これにより、巻上げダイヤル１３とカム部材４９との回転ロックが解除され、次回のフイルム巻き上げ操作が許容される。
【００２８】
カウンタ表示板４６には、下面に巻き止め阻止用突起４６ａが形成されている。巻き止め阻止用突起４６ａは、最終コマの撮影が完了したときのカウンタ表示板４６の回転位置で係止レバー４８に設けた立ち上がり片４８ｅの回動軌跡内に入り込み、係止レバー４８を巻き止め解除位置に保持する。この係止レバー４８によりシャッタ駆動レバー４５も走行完了位置で保持されるから、フイルム巻き止め機構が作動せずに以後のフイルム巻き上げ操作が継続して許容され、撮影済みの写真フイルム２８の全てをパトローネ本体２６に収納することができる。
【００２９】
また、カウンタ表示板４６の周縁には、一歯ギヤ４９ａに噛合する歯列４６ｂが形成されている。カウンタ表示板４６は、カム部材４９の１コマ分の移送に対応した回転により一歩進する。なお、天板５０には、前記カウンタ表示窓１０が一体に形成されている。このカウンタ表示窓１０は凸レンズに形成されており、カウンタ表示板４６の表面に刻印された残りコマ数を表す数字を拡大して表示する。
【００３０】
ファインダ５は、凹レンズの対物レンズ５ａと凸レンズの接眼レンズ５ｂからなる逆ガリレオ式である。対物レンズ５ａと接眼レンズ５ｂとの間でファインダ光路から上方に外れた位置に、ファインダ５の光路内に挿入して被写体の観察を阻害する観察阻害部材としての目隠し板６０が軸支されている。すなわち、図４に示すように、天板５０の内壁面に形成された一対の軸受け部４４ａ（一方のみを図示）の穴に目隠し板６０の軸６０ａが回動自在に取り付けられている。なお、目隠し板６０は、ファインダ光路内の反射を考慮して黒色の樹脂から成形してある。
【００３１】
目隠し板６０の軸６０ａには、目隠し板６０を図面の時計方向に付勢する捩じりバネ６１が仕掛けられている。そして、ファインダ５の側方には、目隠し板６０を変位させる変位手段としての支持レバー６２が回動自在に設けられている（図５参照）。この支持レバー６２は、最終コマの撮影が完了するまでは目隠し板６０の下面を一端部６２ａが支持することにより、捩じりバネ６１の付勢に抗して目隠し板６０をファインダ光路から待避した待避位置に保持している（図４参照）。
【００３２】
なお、支持レバー６２は、その中心部に形成された孔がベース部３５に形成された軸（図示せず）に挿通されて回動自在に取り付けられている。また、目隠し板６０がファインダ光路内に挿入された挿入位置（仮想線にて示す）では、目隠し板６０の先端部がベース部３５の段差３５ｃに当接して停止するようにしてある。これにより、目隠し板６０が回動した際に接眼レンズ５ｂに衝突して接眼レンズ５ｂを傷つけることが防止され、接眼レンズ５ｂの再使用が可能になる。
【００３３】
支持レバー６２は樹脂製であり、その回動中心近傍にＳ字型に形成されて弾性を付与されたバネ部６２ｂが設けられている。このバネ部６２ｂの端部がベース部３５に形成されたストッパ６４に当接しており、支持レバー６２を時計方向に付勢している（図５参照）。また、一端部６２ａ側に当接して支持レバー６２の位置を規制して目隠し板６０を待避位置に保持するストッパ６５がベース部３５に形成されている。
【００３４】
支持レバー６２の他端部６２ｃは、前記巻き止め阻止用突起４６ａの回動軌道内に挿入されている。この巻き止め阻止用突起４６ａは、最終コマの撮影を終えた後のフイルム巻き上げ操作に伴って他端部６２ｃを押し、支持レバー６２をバネ部６２ｂの付勢に抗して反時計方向に回動させる。これにより、目隠し板６０を支持していた支持レバー６２の一端部６２ａが目隠し板６０の下面から外れ、捩じりバネ６１の付勢により目隠し板６０が時計方向に回動してファインダ光路に挿入され、ファインダ視野が遮蔽される。
【００３５】
このように構成されたレンズ付きフイルムユニットの作用を説明する。最後の１コマを撮影し終わった後、巻上げダイヤル１３を回すと、巻き止め阻止用突起４６ａが立ち上がり片４８ｅの回動軌跡内に入り込んで、係止レバー４８が巻き止め解除位置に保持されると同時にシャッタ駆動レバー４５が走行完了位置で保持され、以後のフイルム巻き上げ操作が継続して許容される。
【００３６】
巻上げダイヤル１３を継続して回してゆくと、巻き止め阻止用突起４６ａが他端部６２ｃを押して支持レバー６２を回動させるから、目隠し板６０は、支持レバー６２の一端部６２ａによる支持を失ってファインダ光路内に回動し、接眼レンズ５ｂを内側から覆ってファインダ視野を遮蔽する。カウンタ表示窓１０を確認しないユーザでもファインダ５は必ず覗いて撮影するから、暗転状態のファインダ視野を見れば、それ以上の撮影ができないことを瞬時に理解できる。
【００３７】
撮影済みのレンズ付きフイルムユニット１は、そのまま現像取扱店に提出される。現像取扱店では、後カバー２２の蓋２２ａを開いて露光済みの写真フイルム２８を収納したパトローネ本体２６を取り出し、これを自動現像機にセットして現像及び焼付け処理を行う。そして、仕上がったプリント写真とネガフイルムとをユーザに返却する。
【００３８】
空のレンズ付きフイルムユニット１は、メーカの循環生産工場に回収される。
循環生産工場では、前カバー２１や後カバー２２は成形用の原材料にされ（リサイクル）、またストロボユニット２３や露光ユニット２５は各種の検査終了後、合格したものは再使用（リユース）される。
【００３９】
露光ユニット２５をリユースする際には、天板５０を取り外してから、カウンタ表示板４６を初期位置に戻すと、支持レバー６２がバネ部６２ｂの付勢により時計方向に回動してストッパ６５に当接し、元の位置に戻る。次に、目隠し板６０が斜めになるように回動させて目隠し板６０の面を支持レバー６２に当接させながら、天板５０をベース部３５の上部に押しつけると、天板５０がベース部３５と爪係合する。これにより、目隠し板６０がファインダ光路から待避した待避位置に支持され、ファインダ視野が開放される。
【００４０】
空のレンズ付きフイルムユニット１が第三者に渡った場合、後カバー２２を外してフイルム詰め替えを行っただけでは、ファインダ視野が暗転したままであるから、目隠し板６０を取り外す必要がある。このためには、本体基部２０から前カバー２１と後カバー２２の両方を取り外してから、シャッタボタン９，天板５０を取り外し、更に天板５０から目隠し板６０を取り外した後、カウンタ表示板４６を初期位置に戻し、天板５０，シャッタボタン９をベース部３５に元通りに取り付け、前カバー２１を本体基部２０に取り付けてから、フイルム詰め替え作業を行う。
【００４１】
すなわち、従来のフイルム詰め替え作業の他に、（１）前カバーの取り外し、（２）露光ユニットの天板の取り外し、（３）目隠し板の取り外し又は破壊、の少なくとも３つの作業を余分に行わなければならない。このような大幅な手間の増加は、不法な詰め替え品の製造を困難にする。この結果、詰め替え業者の利益を大幅に減少させ、詰め替え品の販売を諦めさせることに貢献する。
【００４２】
次に、別の実施形態を示す図６乃至図８において、目隠し板７０は一対の軸７０ａを介して天板７１に回動自在に取り付けられている（図７参照）。目隠し板７０の一方の軸７０ａ近傍には、Ｌ字型の係合部７０ｂが形成されている。この係合部７０ｂには、支持レバー７２の丸棒状突起７２ａが係合している。支持レバー７２は、ほぼ三角形状をしており、１つの角から丸棒状突起７２ａが突出形成され、また他の２つの角から爪部７２ｂ，７２ｃが突出形成されている。
【００４３】
支持レバー７２は、孔７２ｄを介して天板７１に回動自在に取り付けられている。また、支持レバー７２の回動中心近傍にＳ字型に形成されて弾性を付与されたバネ部７２ｅが設けられている。このバネ部７２ｅの端部が天板７１に形成されたストッパ７３の側面に当接しており、支持レバー７２を時計方向に付勢している。
【００４４】
図８に示すように、カウンタ表示板７５の下面には巻き止め阻止用突起７５ａが形成されている。この巻き止め阻止用突起７５ａは、カウンタ表示板７５の下面に形成された円板７５ｂの外周の一部に形成され、一辺の傾斜が急で他辺の傾斜がなだらかな爪形状をしている。
【００４５】
支持レバー７２は、バネ部７２ｅの付勢により常に時計方向に付勢されているが、フイルム残り枚数がある状態では、同図（Ａ）に示すように、爪部７２ｃが円板７５ｂの外周面に摺接し、支持レバー７２の時計方向への回動が阻止されている。この状態では、丸棒状突起７２ａが目隠し板７０を下方から支えてファインダ光路から待避した待避位置に保持している。また、爪部７２ｂは円板７５ｂの外周面から巻き止め阻止用突起７５ａが通過可能に離間している。
【００４６】
最後の１コマを撮影し終わった後、巻上げダイヤル１３を回すと、同図（Ｂ）に示すように、巻き止め阻止用突起７５ａが爪部７２ｃを押し、支持レバー７２をバネ部７２ｅの付勢に抗して反時計方向に回動させる。これにより、丸棒状突起７２ａが係合部７０ｂの根元側を押し、目隠し板７０を回動してファインダ光路内に挿入する（図７参照）。目隠し板７０は、先端部がベース部３５の段差３５ｃに当接して停止する。
【００４７】
レンズ付きフイルムユニットを回収した循環生産工場では、図８（Ｃ）に示すように、カム部材４９を逆回転させ、カウンタ表示板７５を反時計方向へ回転させる。巻き止め阻止用突起７５ａが爪部７２ｂを押し、バネ部７２ｅの付勢と協働して支持レバー７２を時計方向に回動させる。これにより、丸棒状突起７２ａが目隠し板７０の接眼レンズ５ｂ側の面を押し、目隠し板７０をファインダ光路内の挿入位置からファインダ光路外の待避位置に回動させる（図７参照）。
【００４８】
次に、別の実施形態を示す図９において、目隠し板８０のファインダ光路側の表面には、ほぼ全面にわたって粘性物質であるグリス８１が塗布されている。ベース部８２の接眼レンズ５ｂ近傍には、挿入位置の目隠し板８０が当接される段差を設けていないから、目隠し板８０は退避位置（仮想線で示す）から回動して挿入位置（実線で示す）に達すると、接眼レンズ５ｂに衝突する。これにより、グリス８１が接眼レンズ５ｂの表面に付着して接眼レンズ５ｂを汚す。
【００４９】
グリス８１で汚れた接眼レンズ５ｂは、きれいに洗浄しなければ、ファインダ視野が曇って再使用することはできない。これにより、第三者によるフイルム詰め替え作業は、従来のフイルム詰め替え作業の他に、上述した（１）前カバーの取り外し、（２）露光ユニットの天板の取り外し、（３）目隠し板の取り外し又は破壊、に加え、（４）接眼レンズの洗浄の少なくとも４つの作業を余分に行わなければならなくなる。このような大幅な手間の増加は、不法な詰め替え品の製造を困難にし、詰め替え業者の利益を大幅に減少させ、詰め替え品の販売を諦めさせることに貢献する。なお、粘性物質としては、グリスを用いたが、本発明はこれに限定されることなく、非硬化性のものであれば、塗料等でもよい。
【００５０】
以上説明した実施形態では、黒色の目隠し板によりファインダ視野が暗転状態になるため、レンズ付きフイルムユニットの故障ではないかと勘違いするユーザもあり得る。このため、ラベルの背面に「ファインダ視野が暗転状態になりましたら、全コマの撮影が終了しましたので、そのまま現像取扱店にご提出ください。」等の説明文を記載しておくことが望ましい。また、目隠し板を明るい色とすると、故障ではなく、撮影完了の知らせであることがより明瞭に分かるという利点がある。
【００５１】
また、上記実施形態では、天板を爪係合によりベース部に取り付けたが、本発明はこれに限定されることなく、天板を溶着（超音波溶着等）によりベース部に取り付けてもよい。この場合には、第三者による天板の取り外しが更に困難になると同時に、目隠し板をリセットした後に天板を再度ベース部に溶着する手間が増えるため、効果的に違法な詰め替えを防止できる。
【００５２】
また、上記実施形態は、いずれも目隠し板はファインダ視野をほぼ完全に塞ぐものであったが、本発明はこれに限定されることなく、被写体の観察を明らかに阻害できるものであれば、例えばファインダ視野の半分程度を塞ぐ大きさでもよい。また、目隠し板の形状に関しても矩形状に限らず、例えば円形等でもよい。また、目隠し板は、回動によってファインダ光路に挿脱されるようにしたが、直線方向に移動されるように構成してもよい。
【００５３】
【発明の効果】
以上説明したように、本発明のレンズ付きフイルムユニットでは、最終コマの撮影が完了した後に巻き止め解除手段に連動して観察阻害部材をファインダの光路内に挿入して被写体の観察を阻害するようにしたので、ユーザは全コマの撮影が終了したことを明瞭に知ることができる。また、第三者がフイルム詰め替えを行おうとしても観察阻害部材をファインダ光路内から取り除く作業が余分に必要になるため、大幅な手間の増加によって詰め替え品の製造が困難になる。この結果、採算割れが生じ、不法な詰め替え品の販売量を減少させることができる。また、観察阻害部材の表面に粘性物質を塗布しておき、挿入位置で観察阻害部材がファインダの接眼レンズに接触することにより粘性物質が接眼レンズに付着して接眼レンズを汚すから、観察阻害部材をファインダ光路内から取り除く作業の他に接眼レンズの洗浄作業が必要となって、更に詰め替え品の製造を困難にすることができる。
【図面の簡単な説明】
【図１】レンズ付きフイルムユニットの外観図である。
【図２】ユニット本体の分解斜視図である。
【図３】露光ユニットの分解斜視図である。
【図４】ファインダと目隠し板との関係を示す断面図である。
【図５】カウンタ表示板，支持レバー，目隠し板及びファインダの関係を示す説明図である。
【図６】目隠し板及び支持レバーの別の実施形態を示す斜視図である。
【図７】図６に示す目隠し板とファインダとの関係を示す断面図である。
【図８】図６に示す目隠し板とファインダ，支持レバー，カウンタ表示板との関係を示す説明図である。
【図９】目隠し板にグリスを塗布した実施形態を示す断面図である。
【符号の説明】
１　レンズ付きフイルムユニット
５　ファインダ
５ａ　対物レンズ
５ｂ　接眼レンズ
２５　露光ユニット
４５　シャッタ駆動レバー
４６，７５　カウンタ表示板
４６ａ，７５ａ　巻き止め阻止用突起
４８　係止レバー
４９　カム部材
５０，７１　天板
６０，７０，８０　目隠し板
６２，７２　支持レバー
８１　グリス
【図１】
2004117953.tif 000003
【図２】
2004117953.tif 000004
【図３】
2004117953.tif 000005
【図４】
2004117953.tif 000006
【図５】
2004117953.tif 000007
【図６】
2004117953.tif 000008
【図７】
2004117953.tif 000009
【図８】
2004117953.tif 000010
【図９】
2004117953.tif 000011